(57)【要約】      （修正有）【課題】継続中の無線通信をプリアンブルマスク信号が妨害することを抑えることができる中継装置及び通信制御方法を提供する。【解決手段】移動局と、移動局と通信接続を確立するためのプリアンブル信号を送信する基地局と、中継装置とからなる無線通信システムにおける中継装置１０１であって、移動局と無線信号を送受信する移動局側通信部１２１と、中継装置１０１の位置を検出する位置検出部１１３と、位置検出部１１３により検出された中継装置１０１の位置に応じて、プリアンブル信号を妨害するプリアンブルマスク信号を移動局側通信部１２１に送信させるか否かを決定する制御部１１７とを備える。【選択図】図２
2013247638.tif 000002
【特許請求の範囲】
【請求項１】
移動局と、前記移動局と通信接続を確立するためのプリアンブル信号を送信する基地局と、中継装置とからなる無線通信システムにおける中継装置であって、
前記移動局と無線信号を送受信する移動局側通信部と、
前記中継装置の位置を検出する位置検出部と、
前記位置検出部により検出された前記中継装置の位置に応じて、前記プリアンブル信号を妨害するプリアンブルマスク信号を前記移動局側通信部に送信させるか否かを決定する制御部と
を備える中継装置。
【請求項２】
請求項１に記載の中継装置において、前記制御部は、
前記位置検出部により検出された前記中継装置の位置が所定のエリア内である場合に、前記プリアンブルマスク信号の送信を停止するように前記移動局側通信部を制御する
ことを特徴とする中継装置。
【請求項３】
請求項１に記載の中継装置において、さらに、
前記中継装置が所定のエリア内に滞在している時間を計測するタイマ部を備え、
前記制御部は、前記位置検出部により検出された前記中継装置の位置及び前記タイマ部により計測された前記中継装置の前記所定のエリア内における滞在時間に応じて、前記プリアンブル信号を妨害するプリアンブルマスク信号を前記移動局側通信部に送信させるか否かを決定する
ことを特徴とする中継装置。
【請求項４】
請求項３に記載の中継装置において、前記制御部は、
前記位置検出部により検出された前記中継装置の位置が前記所定のエリア内であり、かつ、前記タイマ部により計測された前記中継装置の前記所定のエリア内における滞在時間が所定の時間以上である場合に、前記プリアンブルマスク信号の送信を停止するように前記移動局側通信部を制御する
ことを特徴とする中継装置。
【請求項５】
移動局と、前記移動局と通信接続を確立するためのプリアンブル信号を送信する基地局と、中継装置とからなる無線通信システムにおける中継装置の通信制御方法において、前記中継装置が、
前記中継装置の位置を検出するステップと、
検出された前記中継装置の位置に応じて、前記プリアンブル信号を妨害するプリアンブルマスク信号を前記移動局に送信するか否かを決定するステップと
を含む通信制御方法。
【発明の詳細な説明】
【技術分野】
【０００１】
本発明は、中継装置及び通信制御方法に関するものである。
【背景技術】
【０００２】
移動局が基地局と通信するためには、移動局は基地局からの無線電波が届く範囲（サービスエリア）に位置する必要がある。しかし、山岳地帯や高層ビル等が建ち並ぶ市街地では、障害物が多いため無線電波が届きにくいエリアが存在する。また、屋外に設置された基地局からの電波が届きにくいエリア（例えば、建物の内部や地下）が多く存在する。例えば、ＩＥＥＥ標準規格802.16eを基に規格化されたモバイルＷｉＭＡＸ（Worldwide Interoperability for Microwave Access）（登録商標）等の高速無線通信方式では、２．５ＧＨｚ以上の高周波数帯の電波が使用されるが、このような高周波数帯の電波は直進性が強く、障害物を回りこむ性質が弱い。そのため、モバイルＷｉＭＡＸのような高周波帯の電波を使用する無線通信システムは障害物の影響を強く受ける。このような電波が届きにくいエリアをカバーするためには、基地局と移動局との間の無線信号を中継する中継装置が必要となる。
【０００３】
中継装置は、サービスエリアを拡充できるという利点がある反面、中継装置が発する電波が他の電波との干渉を引き起こすという欠点がある。中継装置は、基地局と通信を行うドナーノードと、移動局と通信を行うサービスノードとを備える。中継装置に起因する干渉の一つとして、ドナーノードとサービスノードとの間における相互干渉が挙げられる。例えば、ドナーノードが基地局からの無線信号を受信する期間とサービスノードが移動局へ無線信号を送信する期間が重なっていると、サービスノードの送信する無線信号が、ドナーノードが受信する無線信号に対して干渉する。これにより、ドナーノードが基地局から受信する無線信号の品質が低下するおそれがある。同様に、ドナーノードの送信期間とサービスノードの受信期間が重なっていると、ドナーノードの送信する無線信号が、サービスノードが受信する無線信号に対して干渉する。これにより、サービスノードが移動局から受信する無線信号の品質が低下するおそれがある。
【０００４】
例えば、特許文献１において、この問題を解決するための無線通信方法が提案されている。当該方法は、図６に示すように、サービスノードの送受信タイミングをドナーノードの送受信タイミングに揃えるものである。すなわち、ドナーノードが基地局Ａからダウンリンク(Down Link)信号を受信する第１期間内に、サービスノードは移動局Ａからのアップリンク（Up Link）信号を受信する。また、ドナーノードが基地局Ａにアップリンク信号を送信する第２期間内に、サービスノードは移動局Ａにダウンリンク信号を送信する。図６において、Ｔｘは送信を意味し、Ｒｘは受信を意味する。また、ＤＬはダウンリンクを意味し、ＵＬはアップリンクを意味する。このように、サービスノードの送受信タイミングをドナーノードの送受信タイミングに揃える制御方式を、以後、「タイミング制御方式」と称する。
【０００５】
ところで、基地局Ａ、及び、中継装置のサービスノードは、ダウンリンク信号の先頭部においてプリアンブル信号を送信する。プリアンブル信号は同期を確立するために用いられる信号である。移動局Ａは、無線通信を開始する際にプリアンブル信号をサーチし、良好に受信可能なプリアンブル信号と同期を確立し、当該プリアンブル信号を送信している基地局、又は、中継装置のサービスノードと通信接続を確立する。
【０００６】
中継装置がタイミング制御方式を採用している場合、基地局Ａ及び中継装置は、図６に示すタイミングで動作する。すなわち、基地局Ａは第１期間の先頭部においてプリアンブル信号を送信し、中継装置のサービスノードは第２期間の先頭部においてプリアンブル信号を送信する。従って、移動局Ａは、２つの異なるタイミングでプリアンブル信号を受信することになる。すなわち、第１期間の先頭のタイミングで基地局Ａからプリアンブル信号を受信し、第２期間の先頭のタイミングでサービスノードからプリアンブル信号を受信する。
【０００７】
移動局Ａが中継装置の近傍に位置する場合などは、移動局Ａは、中継装置と通信接続を確立することによって良好な無線通信を実現することができる。しかしながら、中継装置がタイミング制御方式を採用していると、移動局Ａは２つの異なるタイミングでプリアンブル信号を受信し、移動局Ａが、遠方にある基地局Ａからのプリアンブル信号と同期して通信接続を確立してしまう場合があった。この場合、移動局Ａが中継装置と通信接続を確立する場合に比べて無線通信の品質が低下してしまうおそれがあるという問題がある。また、同期先が不確定になってしまい、移動局Ａが同期を確立することができないおそれがあるという問題がある。
【０００８】
例えば、特許文献２において、この問題を解決するための無線通信方法が提案されている。当該方法は、図７に示すように、基地局Ａがプリアンブル信号を送信する第１期間の先頭のタイミングにおいて、サービスノードが、当該プリアンブル信号を妨害するプリアンブルマスク信号を送信する発明である。これにより、基地局Ａが送信するプリアンブル信号は、サービスノードが送信するプリアンブルマスク信号によって干渉を受けて妨害されるため、移動局Ａは、基地局Ａからのプリアンブル信号を検出できなくなる。その結果、移動局Ａが遠方にある基地局Ａと通信接続を確立してしまう確率が低減し、移動局Ａが近傍の中継装置と通信接続を確立して良好な無線通信を実現する確率を向上させることができる。
【先行技術文献】
【特許文献】
【０００９】
【特許文献１】特開２０１０−５６７１１号公報
【特許文献２】特開２０１２−１５８６７号公報
【発明の概要】
【発明が解決しようとする課題】
【００１０】
しかしながら、特許文献２に記載の方法により、中継装置がプリアンブルマスク信号を送信することによって、移動局Ａ以外の移動局に悪影響を与える場合がある。図８を用いて、この状況の一例を説明する。
【００１１】
図８に示す中継装置は、タイミング制御方式を採用する中継装置であり、また、特許文献２に記載の方法によりプリアンブルマスク信号を送信する中継装置であるとする。また、中継装置のサービスノード及び基地局Ｂはいずれも周波数帯ｆａを用いて無線通信を行っており、中継装置は移動局Ａの近傍に位置し、基地局Ｂは移動局Ａの遠方に位置するものとする。この場合、中継装置のサービスノード及び基地局Ｂは、いずれも周波数帯ｆａを用いてプリアンブル信号を送信しているが、サービスノードがプリアンブルマスク信号を送信して基地局Ｂが送信するプリアンブル信号を妨害しているため、移動局Ａは基地局Ｂからのプリアンブル信号を検出することができず、安定して中継装置と通信接続を確立する。その結果、移動局Ａは、近傍に位置する中継装置と良好な無線通信を実現することができる。
【００１２】
このような状況において、基地局Ａと周波数帯ｆａにより良好な無線通信を実施している移動局Ｃがあるとする。この場合に、中継装置が移動局Ｃの遠方に位置していれば、中継装置が送信するプリアンブルマスク信号は、移動局Ｃと基地局Ａとの無線通信を妨害しない。しかしながら、中継装置が移動局Ｃに近づくと、中継装置が送信するプリアンブルマスク信号が基地局Ａの送信するプリアンブル信号に干渉して妨害する。その結果、移動局Ｃと基地局Ａとの間の無線通信のスループットの低下や、通信接続が切断されてしまうという問題が発生するおそれがある。
【００１３】
このような問題は、例えば、中継装置が電車の車両に搭載されており、ユーザが駅のホームで移動局Ｃを使用している場合などに起こり得る。電車が駅のホームから遠いところを走っている間は、電車に搭載された中継装置がプリアンブルマスク信号を送信しても移動局Ｃに影響を与えない。しかし、電車が駅のホームに近づくと、電車に搭載された中継装置が送信するプリアンブルマスク信号が、移動局Ｃが基地局Ａから受信しているプリアンブル信号を妨害するおそれがある。
【００１４】
従って、上記のような問題点に鑑みてなされた本発明の目的は、継続中の無線通信をプリアンブルマスク信号が妨害することを抑えることができる中継装置及び通信制御方法を提供することにある。
【課題を解決するための手段】
【００１５】
上述した諸課題を解決すべく、第１の観点に係る中継装置の発明は、
移動局と、前記移動局と通信接続を確立するためのプリアンブル信号を送信する基地局と、中継装置とからなる無線通信システムにおける中継装置であって、
前記移動局と無線信号を送受信する移動局側通信部と、
前記中継装置の位置を検出する位置検出部と、
前記位置検出部により検出された前記中継装置の位置に応じて、前記プリアンブル信号を妨害するプリアンブルマスク信号を前記移動局側通信部に送信させるか否かを決定する制御部と
を備える中継装置である。
【００１６】
また、第２の観点に係る発明は、第１の観点に係る中継装置において、前記制御部は、前記位置検出部により検出された前記中継装置の位置が所定のエリア内である場合に、前記プリアンブルマスク信号の送信を停止するように前記移動局側通信部を制御することを特徴とするものである。
【００１７】
また、第３の観点に係る発明は、第１の観点に係る中継装置において、さらに、前記中継装置が所定のエリア内に滞在している時間を計測するタイマ部を備え、前記制御部は、前記位置検出部により検出された前記中継装置の位置及び前記タイマ部により計測された前記中継装置の前記所定のエリア内における滞在時間に応じて、前記プリアンブル信号を妨害するプリアンブルマスク信号を前記移動局側通信部に送信させるか否かを決定することを特徴とするものである。
【００１８】
また、第４の観点に係る発明は、第３の観点に係る中継装置において、前記制御部は、前記位置検出部により検出された前記中継装置の位置が前記所定のエリア内であり、かつ、前記タイマ部により計測された前記中継装置の前記所定のエリア内における滞在時間が所定の時間以上である場合に、前記プリアンブルマスク信号の送信を停止するように前記移動局側通信部を制御することを特徴とするものである。
【００１９】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２０】
例えば、本発明の第１の観点を方法として実現させた通信制御方法は、
移動局と、前記移動局と通信接続を確立するためのプリアンブル信号を送信する基地局と、中継装置とからなる無線通信システムにおける中継装置の通信制御方法において、前記中継装置が、
前記中継装置の位置を検出するステップと、
検出された前記中継装置の位置に応じて、前記プリアンブル信号を妨害するプリアンブルマスク信号を前記移動局に送信するか否かを決定するステップと
を含む通信制御方法である。
【発明の効果】
【００２１】
上記のように構成された本発明に係る中継装置及び通信制御方法によれば、継続中の無線通信をプリアンブルマスク信号が妨害することを抑えることができる。
【図面の簡単な説明】
【００２２】
【図１】本発明の第１実施形態に係る概略的な無線通信システム構成図である。
【図２】本発明の第１実施形態に係る中継装置の概略構成を示す機能ブロック図である。
【図３】本発明の第１実施形態に係る中継装置の処理を示すフローチャートである。
【図４】本発明の第２実施形態に係る中継装置の概略構成を示す機能ブロック図である。
【図５】本発明の第２実施形態に係る中継装置の処理を示すフローチャートである。
【図６】タイミング制御方式を採用した中継装置の送受信期間を示すタイムチャートである。
【図７】タイミング制御方式を採用した中継装置がプリアンブルマスク信号を送信する様子を示す図である。
【図８】従来のプリアンブルマスク信号に起因する干渉の説明図である。
【発明を実施するための形態】
【００２３】
以下、本発明に係る実施形態について、図面を参照して説明する。
【００２４】
（第１実施形態）
図１は、本発明の第１実施形態に係る概略的な無線通信システム構成図である。無線通信システム１１は、基地局ＢＳ（Base Station）（ＢＳ１及びＢＳ２）と、移動局ＭＳ（Mobile Station）（ＭＳ１及びＭＳ２）と、車両１０３に搭載されている中継装置１０１とから構成されている。車両１０３は、例えば電車の車両であるが、これに限定するものではない。無線通信システム１１の通信方式がＷｉＭＡＸである場合、無線通信システム１１は、ＴＤＤ（Time Division Duplex）方式である。中継装置１０１は、基地局ＢＳ１と移動局ＭＳ１との間で送受信される無線信号を中継する。移動局ＭＳ１は、基地局ＢＳ１のセル（通信可能エリア）の範囲外に位置していても、中継装置１０１を介して基地局ＢＳ１と無線信号を送受信できる。
【００２５】
基地局ＢＳ１は、中継装置１０１のドナーノードと周波数帯ｆ１で通信し、移動局ＭＳ１は、中継装置１０１のサービスノードと周波数帯ｆ２で通信しているとする（ドナーノード及びサービスノードの詳細については、図２の説明にて後述）。また、基地局ＢＳ２からの周波数帯ｆ２の電波が移動局ＭＳ１に届くものとする。駅のホーム１０５上に位置する移動局ＭＳ２は、基地局ＢＳ１と周波数帯ｆ２で通信しているとする。中継装置１０１は、車両１０３に搭載されており、車両１０３とともに移動する。例えば、中継装置１０１を搭載する車両１０３は、駅のホーム１０５から離れた位置Ｐ１から駅のホーム１０５に向かって移動し、駅のホーム１０５における位置Ｐ２で停止する。車両１０３が位置Ｐ２に位置する場合、中継装置１０１のサービスノードからの周波数帯ｆ２の電波は、移動局ＭＳ２に届くとする。
【００２６】
中継装置１０１は、サービスノードの送受信をタイミング制御方式により制御するものであり、また、中継装置１０１のサービスノードは、移動局ＭＳ１が基地局ＢＳ２などと通信接続してしまうことを抑制するため、プリアンブルマスク信号を送信するものとする。
【００２７】
なお、車両１０３の停止場所は、ある特定の駅のホーム１０５に限定されるものではなく、その他の駅のホーム、又は、駅のホーム以外の場所でも停止し得る。また、図１において、基地局ＢＳは２つ、移動局ＭＳは２つ記載されているが、これはあくまで一例であり本発明はこの態様に限定されるものではない。例えば、基地局及び移動局の数を３つ以上とすることができる。
【００２８】
図２は、本発明の第１実施形態に係る中継装置の概略構成を示す機能ブロック図である。
【００２９】
中継装置１０１は、基地局ＢＳと通信を行うドナーノード１１０と、移動局ＭＳと通信を行うサービスノード１２０とを備えている。中継装置１０１は、一体型と分離型のどちらの構成をとることもできる。一体型の場合、中継装置１０１は、一つの筐体内にドナーノード１１０とサービスノード１２０とを備える。分離型の場合、中継装置１０１は、ドナーノード１１０とサービスノード１２０とをそれぞれ独立して配置することが可能である。一体型と分離型のいずれの場合も、ドナーノード１１０とサービスノード１２０とは信号ラインにより接続される。
【００３０】
まず、ドナーノード１１０の機能ブロックについて説明する。ドナーノード１１０は、基地局側通信部１１１と、位置検出部１１３と、記憶部１１５と、制御部１１７とを備えている。基地局側通信部１１１、位置検出部１１３及び記憶部１１５は、制御部１１７に接続されている。
【００３１】
基地局側通信部１１１は、アンテナを介して基地局ＢＳと無線信号を送受信する。基地局側通信部１１１は、受信した無線信号に対して低雑音での増幅及びダウンコンバート等を行ってベースバンド信号を生成し、制御部１１７に送る。また、基地局側通信部１１１は、ベースバンド信号に対してアップコンバート及び増幅等を行って無線信号を生成し、アンテナを介して当該無線信号を基地局ＢＳに送信する。
【００３２】
基地局側通信部１１１は、図６に示すタイミングのように、第１期間に基地局ＢＳからダウンリンク信号を受信し、第２期間に基地局ＢＳへアップリンク信号を送信する。
【００３３】
位置検出部１１３は、例えば、ＧＰＳ（Global Positioning System）装置によって構成され、中継装置１０１の位置を検出する。位置検出部１１３は、取得した中継装置１０１の位置情報を制御部１１７に送る。電車が複数の車両１０３から構成され、各車両１０３に中継装置１０１が搭載されている場合は、位置検出部１１３によって、車両１０３毎に中継装置１０１の位置を検出することができる。なお、本実施形態では、ドナーノード１１０が、位置検出部１１３を有するが、本発明は、この態様に限定されるものではない。例えば、サービスノード１２０が、位置検出部１１３を有する構成であってもよい。
【００３４】
記憶部１１５は、例えば駅のホーム１０５周辺のエリアのように、移動局ＭＳを使用するユーザが多数存在し、車両１０３が当該エリア内に入ると、サービスノード１２０が送信するプリアンブルマスク信号が当該多数の移動局ＭＳに悪影響を与えると考えられる所定のエリアを記憶する。また、記憶部１１５は、ワークメモリなどとしても機能する。
【００３５】
なお、本実施形態では、ドナーノード１１０のみが、記憶部１１５を有するが、本発明は、この構成に限定されるものではない。例えば、サービスノード１２０のみが記憶部１１５を有する構成であってもよいし、又は、ドナーノード１１０及びサービスノード１２０の双方が記憶部１１５を有する構成であってもよい。
【００３６】
制御部１１７は、ドナーノード１１０及びサービスノード１２０の各機能ブロックをはじめとしてドナーノード１１０及びサービスノード１２０の全体を制御及び管理する。ここで、制御部１１７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。なお、本実施形態では、ドナーノード１１０のみが、制御部１１７を有するが、本発明は、この構成に限定されるわけではない。例えば、サービスノード１２０のみが制御部１１７を有する構成であってもよいし、又は、ドナーノード１１０及びサービスノード１２０の双方が制御部１１７を有する構成であってもよい。
【００３７】
続いて、サービスノード１２０の機能ブロックについて説明する。サービスノード１２０は、移動局側通信部１２１を備えている。移動局側通信部１２１は、制御部１１７に接続されている。
【００３８】
制御部１１７は、移動局側通信部１２１がタイミング制御方式によるタイミングで移動局ＭＳと無線信号を送受信するように、移動局側通信部１２１の送受信タイミングを制御する。
【００３９】
移動局側通信部１２１は、アンテナを介して移動局ＭＳと無線信号を送受信する。移動局側通信部１２１は、受信した無線信号に対して低雑音での増幅及びダウンコンバート等を行ってベースバンド信号を生成し、制御部１１７に送る。また、移動局側通信部１２１は、ベースバンド信号に対してアップコンバート及び増幅等を行って無線信号を生成し、アンテナを介して当該無線信号を移動局ＭＳに送信する。
【００４０】
移動局側通信部１２１は、制御部１１７によってタイミング制御方式で制御され、図６に示すタイミングのように、第１期間に移動局ＭＳからアップリンク信号を受信し、第２期間に移動局ＭＳへダウンリンク信号を送信する。
【００４１】
ここで、ドナーノード１１０の制御部１１７についてより詳細に説明する。図１において、移動局ＭＳ１には、中継装置１０１のサービスノード１２０からの周波数帯ｆ２の電波のみならず、基地局ＢＳ２からの周波数帯ｆ２の電波も届く。そのため、移動局ＭＳ１が、通信接続を確立するためのプリアンブル信号を中継装置１０１及び基地局ＢＳ２の双方から受信すると、移動局ＭＳ１は、中継装置１０１ではなく基地局ＢＳ２と接続してしまったり、同期先が不確定になりそもそも通信接続の確立ができなかったりする。
【００４２】
そこで、制御部１１７は、基地局ＢＳ２からのプリアンブル信号に干渉させて妨害するプリアンブルマスク信号を、当該プリアンブル信号の送信タイミングに合わせて送信するように移動局側通信部１２１を制御する。これにより、移動局ＭＳ１は、基地局ＢＳ２からのプリアンブル信号を検出できなくなり、中継装置１０１と安定して通信接続を確立することができる。
【００４３】
プリアンブルマスク信号は、中継装置１０１と移動局ＭＳ１との間の通信接続の確立を確実にするためのものであるが、このプリアンブルマスク信号は、当該プリアンブル信号と同じ周波数帯ｆ２で無線通信を行っている移動局ＭＳ２の無線通信に悪影響を及ぼすことがある。本実施形態では、車両１０３が駅のホーム１０５周辺の所定のエリア内に進入すると、サービスノード１２０が送信するプリアンブルマスク信号は、基地局ＢＳ１から移動局ＭＳ２への周波数帯ｆ２のプリアンブル信号に干渉してしまう。中継装置１０１のサービスノード１２０からのプリアンブルマスク信号による干渉が長い時間継続するほど、移動局ＭＳ２と基地局ＢＳ１との間の通信におけるスループットは低下し、また当該通信接続自体が切断される可能性も高まる。
【００４４】
そこで、制御部１１７は、位置検出部１１３により検出された位置に応じて、プリアンブル信号を妨害するプリアンブルマスク信号を移動局側通信部１２１に送信させるか否かを決定する。例えば、位置検出部１１３により検出された位置が記憶部１１５に記憶されている所定のエリア内であると判定した場合、プリアンブルマスク信号の送信を停止するように移動局側通信部１２１を制御する。例えば、所定のエリアとして駅のホーム１０５などを記憶部１１５に記憶しておくと、制御部１１７は、車両１０３が駅のホーム１０５に進入した場合に、プリアンブルマスク信号の送信を停止することができる。これにより、駅のホーム１０５にいるユーザが移動局ＭＳ２を用いてＢＳ１と無線通信を行っている場合に、プリアンブルマスク信号により当該無線通信を妨害することを抑制することができる。
【００４５】
続いて、中継装置１０１（制御部１１７）がプリアンブルマスク信号の送信を制御する方法について、図３を参照して説明する。図３は、本発明の第１実施形態に係る中継装置の処理を示すフローチャートである。
【００４６】
位置検出部１１３は、定期的又は不定期的に中継装置１０１の位置を検出する（ステップＳ１０１）。そして、位置検出部１１３が検出結果を制御部１１７に送ると、制御部１１７は、検出された位置が記憶部１１５に記憶されている所定のエリア内であるか否かを判定する（ステップＳ１０２）。
【００４７】
検出された位置が所定のエリア内である場合（ステップＳ１０２のＹｅｓ）、制御部１１７は、プリアンブルマスク信号が移動局ＭＳ２に関する通信に与える影響が大きいと判断し、プリアンブルマスク信号を移動局側通信部１２１に送信させないことを決定する。つまり、プリアンブルマスク信号の送信を停止するように移動局側通信部１２１を制御する（ステップＳ１０３）。
【００４８】
検出された位置が所定のエリアの外側である場合（ステップＳ１０２のＮｏ）、制御部１１７は、プリアンブルマスク信号が移動局ＭＳ２に関する通信に与える影響は小さいと判断し、プリアンブルマスク信号を移動局側通信部１２１に送信させることを決定する。つまり、プリアンブルマスク信号を送信するように移動局側通信部１２１を制御する（ステップＳ１０４）。
【００４９】
中継装置１０１は、図３に示す処理を繰り返して実行し、ステップＳ１０３によりプリアンブルマスク信号を停止した後、車両１０３が所定のエリア内から退去すると（ステップＳ１０２のＮｏ）、制御部１１７は、プリアンブルマスク信号の送信を再開するように移動局側通信部１２１を制御することになる（ステップＳ１０４）。
【００５０】
なお、電車が複数の車両１０３を連結して構成されている場合は、各車両１０３に搭載される中継装置１０１毎に図３に示す処理を実行し、中継装置１０１毎にプリアンブルマスク信号の送信及び停止を制御する。
【００５１】
このように本実施形態では、中継装置１０１の制御部１１７は、位置検出部１１３により検出された中継装置１０１の位置に応じて、プリアンブル信号を妨害するプリアンブルマスク信号を移動局側通信部１２１に送信させるか否かを決定する。これにより、制御部１１７は、中継装置１０１が予め定めた所定のエリア内に位置する場合に、移動局側通信部１２１にプリアンブルマスク信号を停止させることができ、プリアンブルマスク信号による干渉を回避することができる。プリアンブルマスク信号が移動局ＭＳ２に関する通信に干渉しなくなるため、移動局ＭＳ２に関する通信におけるスループットの低下を抑制することができる。
【００５２】
（第２実施形態）
図４は、本発明の第２実施形態に係る中継装置の概略構成を示す機能ブロック図である。なお、第１実施形態の機能ブロックと同様の機能を有する機能ブロックについては、第１実施形態の機能ブロックと同一の符号を付し、説明を省略する。
【００５３】
中継装置２０１は、基地局ＢＳと通信を行うドナーノード２１０と、移動局ＭＳと通信を行うサービスノード１２０とを備えている。
【００５４】
ドナーノード２１０は、基地局側通信部１１１と、位置検出部１１３と、記憶部１１５と、制御部２１７と、タイマ部２１９とを備えている。基地局側通信部１１１、位置検出部１１３、記憶部１１５及びタイマ部２１９は、制御部２１７に接続されている。
【００５５】
タイマ部２１９は、中継装置２０１が所定のエリア内に進入してから経過した滞在時間を計測する。タイマ部２１９は、計測した滞在時間を制御部２１７に送る。なお、本実施形態では、ドナーノード２１０が、タイマ部２１９を有するが、本発明は、この態様に限定されるものではない。例えば、サービスノード１２０が、タイマ部２１９を有する構成であってもよい。
【００５６】
制御部２１７については、第１実施形態の制御部１１７と異なる機能について説明する。制御部２１７は、中継装置２０１が所定のエリア内に位置するか否かに加えて、中継装置２０１が所定のエリア内に滞在している時間が所定の滞在時間以上であるか否かに応じて、プリアンブルマスク信号を移動局側通信部１２１に送信させるか否かを制御する。
【００５７】
制御部２１７は、中継装置２０１が所定のエリア内に滞在している時間が所定の滞在時間より短い場合は、プリアンブルマスク信号が移動局ＭＳ２に関する通信に与える影響は小さいと判断し、プリアンブルマスク信号を移動局側通信部１２１に送信させることを決定する。また、制御部２１７は、中継装置２０１が所定のエリア内に滞在している時間が所定の滞在時間以上である場合は、プリアンブルマスク信号が移動局ＭＳ２に関する通信に与える影響が大きいと判断し、プリアンブルマスク信号を移動局側通信部１２１に停止させ、プリアンブルマスク信号が移動局ＭＳ２に干渉を与えることを回避する。
【００５８】
続いて、中継装置２０１（制御部２１７）がプリアンブルマスク信号の送信を制御する方法について、図５を参照して説明する。図５は、本発明の第２実施形態に係る中継装置の処理を示すフローチャートである。
【００５９】
位置検出部１１３は、定期的又は不定期的に中継装置２０１の位置を検出する（ステップＳ２０１）。そして、位置検出部１１３が検出結果を制御部２１７に送ると、制御部２１７は、検出された位置が記憶部１１５に記憶されている所定のエリア内であるか否かを判定する（ステップＳ２０２）。
【００６０】
検出された位置が所定のエリア内である場合（ステップＳ２０２のＹｅｓ）、制御部２１７は、さらに、中継装置２０１が所定のエリア内に滞在している時間が所定の滞在時間以上であるか否かを判定する（ステップＳ２０３）。
【００６１】
中継装置２０１が所定のエリア内に滞在している時間が所定の滞在時間以上である場合（ステップＳ２０３のＹｅｓ）、制御部２１７は、プリアンブルマスク信号が移動局ＭＳ２に関する通信に与える影響が大きいと判断し、プリアンブルマスク信号を移動局側通信部１２１に送信させないことを決定する。つまり、プリアンブルマスク信号の送信を停止するように移動局側通信部１２１を制御する（ステップＳ２０４）。
【００６２】
検出された位置が所定のエリアの外側である場合（ステップＳ２０２のＮｏ）、又は、中継装置２０１が所定のエリア内に滞在している時間が所定の滞在時間より短い場合（ステップＳ２０３のＮｏ）、制御部２１７は、プリアンブルマスク信号が移動局ＭＳ２に関する通信に与える影響は小さいと判断し、プリアンブルマスク信号を移動局側通信部１２１に送信させることを決定する。つまり、プリアンブルマスク信号を送信するように移動局側通信部１２１を制御する（ステップＳ２０５）。
【００６３】
中継装置２０１は、図５に示す処理を繰り返して実行し、ステップＳ２０４によりプリアンブルマスク信号を停止した後、車両１０３が所定のエリア内から退去すると（ステップＳ２０２のＮｏ）、制御部２１７は、プリアンブルマスク信号の送信を再開するように移動局側通信部１２１を制御することになる（ステップＳ２０５）。
【００６４】
なお、電車が複数の車両１０３を連結して構成されている場合は、各車両１０３に搭載される中継装置２０１毎に図５に示す処理を実行し、中継装置２０１毎にプリアンブルマスク信号の送信及び停止を制御する。
【００６５】
このように本実施形態では、中継装置２０１の制御部２１７は、位置検出部１１３により検出された中継装置２０１の位置、及び、タイマ部２１９により計測された中継装置２０１の所定のエリア内における滞在時間に応じて、プリアンブル信号を妨害するプリアンブルマスク信号を移動局側通信部１２１に送信させるか否かを決定する。これにより、制御部２１７は、中継装置２０１が予め定めた所定のエリア内に所定の滞在時間以上の期間位置する場合に、移動局側通信部１２１にプリアンブルマスク信号を停止させることができ、プリアンブルマスク信号に起因する干渉の影響を取り除くことができる。プリアンブルマスク信号が移動局ＭＳ２に関する通信に干渉しなくなるため、移動局ＭＳ２に関する通信におけるスループットの低下を抑制することができる。
【００６６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００６７】
例えば、各部材、各手段、各ステップなどに含まれる機能などは論理的に矛盾しないように再配置可能であり、複数の手段やステップなどを１つに組み合わせたり、或いは分割したりすることが可能である。
【００６８】
上述の本発明の実施形態の説明において、例えば、閾値「以上」又は閾値「未満」のような表現の技術的思想が意味する内容は必ずしも厳密な意味ではなく、中継装置の仕様に応じて、基準となる値を含む場合又は含まない場合の意味を包含するものとする。例えば、閾値「以上」とは、閾値の比較対象である値が閾値に達した場合のみならず、閾値を超えた場合も含意し得るものとする。また、例えば閾値「未満」とは、閾値の比較対象である値が閾値を下回った場合のみならず、閾値に達した場合、つまり閾値以下になった場合も含意し得るものとする。
【符号の説明】
【００６９】
１１    無線通信システム
１０１  中継装置
１０３  車両
１０５  ホーム
１１０  ドナーノード
１１１  基地局側通信部
１１３  位置検出部
１１５  記憶部
１１７  制御部
１２０  サービスノード
１２１  移動局側通信部
２０１  中継装置
２１０  ドナーノード
２１７  制御部
２１９  タイマ部
ＢＳ１、ＢＳ２  基地局
ＭＳ１、ＭＳ２  移動局
ｆ１、ｆ２  周波数帯
Ｐ１、Ｐ２  位置
【図１】
2013247638.tif 000003
【図２】
2013247638.tif 000004
【図３】
2013247638.tif 000005
【図４】
2013247638.tif 000006
【図５】
2013247638.tif 000007
【図６】
2013247638.tif 000008
【図７】
2013247638.tif 000009
【図８】
2013247638.tif 000010